(57)【要約】【課題】従来の簡易トイレは、汚物受けバケツを有するものであり汚物を始末した後にはバケツを洗浄しなければならない等の面倒さがつきまとうものであった。また、嵩張るものであったので各室に設置するには問題があった。【解決手段】座面体と排泄物収納袋とにより構成される簡易便器であり、該座面体は少なくとも不織布又は紙を表層とするシート体であり、また該排泄物収納袋は該座面体の中央付近に開けられた孔に固設された非透水性を有するものである。この排泄物収納袋に、外側層に非透水性のあるプラスチックフィルム、その内側に吸水性ポリマーが配置されたものを採用した場合には更に利便性が良好となる。【選択図】  図１
2004254837.tif 000002
【特許請求の範囲】
【請求項１】
座面体と排泄物収納袋とにより構成される簡易便器であり、該座面体は少なくとも不織布又は紙を表層とするシート体であり、また該排泄物収納袋は該座面体の中央付近に開けられた孔に固設された非透水性を有するものであることを特徴とする軟性便器。
【請求項２】
該排泄物収納袋は、外側層に非透水性のあるプラスチックフィルム、その内側に吸水性ポリマーが配置されたものである請求項１記載の軟性便器。
【発明の詳細な説明】
【０００１】
【発明の属する技術分野】
本発明は、場所を選ばずに排泄することができる軟性便器の構造に関するものである。
【０００２】
【従来の技術】
高齢者の看護などにおいて、簡易トイレがしばしば採用されている。構造は種々あるが基本的に座部を有する箱体内にバケツを配置、ここを排泄物収納箇所とし、高齢者等はそこに腰掛けて用を足すことになる。
【０００３】
詰まり、既にほぼ寝たきりとなった高齢者等、或いは正規の便所が遠かったり階段を使う場所にあったりするため介護ができないような運動能力となった高齢者等、にとって誠に便利な「便所」である。
【０００４】
【発明が解決しようとする課題】
一方、運動能力は充分ではないが寝たきりとはなっていない者は、その運動能力の低下を食い止めるためにも努めて日常動作に励むべきであるということで、歩行その他を勧める場合が多い。即ち、居間まで歩いてそこでくつろぎ、食堂まで歩いてそこで食事をする、という生活である。しかしながら介護する者にとってみるとこのような状況は、完全な寝たきり状態の高齢者等に対するのと同等或いはそれ以上の肉体的精神的疲労を強いるものである。
【０００５】
即ち、ベッド脇に固定的に設置しておけば充分である寝たきり状態と異なり、便器が必要となる場所は、寝室以外の例えば居間や食堂など、あらゆる場所となってしまう。迅速な動作が不可能な高齢者等が便意を催すと当然ながらそこには介護の手が必要となる。従って介護者は、排泄を急く声のする場所まで簡易トイレを届けてやらねばならないということになる。そうした場合を想定すると従来の簡易トイレは軽量とは言えなかったし各室に配置しても良いほどにはコンパクトでなかった。
【０００６】
また、簡易トイレを使用する場合においても、従来は汚物を始末した後このバケツを水洗いする必要があって、日々の管理が大変であった。
【０００７】
【課題を解決するための手段】
以上のような現状に鑑み、本発明者は鋭意研究の結果遂に本発明軟性便器を成したものでありその特徴とするところは、座面体と排泄物収納袋とにより構成される簡易便器であり、該座面体は少なくとも不織布又は紙を表層とするシート体であり、また該排泄物収納袋は該座面体の中央付近に開けられた孔に固設された非透水性を有するものとする点にある。
【０００８】
即ち本発明は、非透水性のある袋と不織布等より構成される座面体とによって成り立つものであって、「軟性」という語句が示すように柔軟であるため紙オムツ程度の重量大きさとすることも容易で、その利便性は非常に高い。
【０００９】
なおここで「座面体」は、高齢者等が排便する際にその臀部が乗る部分を構成する部材であり、且つ次に詳述する排泄物収納袋を保持する部材である。座面を構成するものであるので多少の尿を拭き取るように吸い込むのが好ましく、そのため表層（臀部と接触する方）には不織布又は紙が配置される。なお、裏側に非透水性を付与するためのシートを配置する、或いは、便座が固いものとならないようにわずかなクッション性を具備している、等の工夫を凝らしても良いがこれらの改良を加えるか否かは本発明を限定するものではない。
【００１０】
「排泄物収納袋」は、排泄物を溜めておく袋であって便や尿が漏れ出さないだけの非透水性を有するものである。排尿に関しては男女差があるのでこれを勘案して男女別の製品としても良いが、そのような点は本発明を限定しない。なお、袋の非透水性を完全なものとするため、また始末する時の取り扱いを簡便にするため、に袋内に吸水性ポリマーを配置するようにしても良い。また、消臭剤、芳香剤などを加えるようにしても良い。
【００１１】
本発明に係る軟性便器の使用方法については特に限定しない。既設の簡易トイレを利用する場合にはその便座に本発明軟性便器の座面体を乗せ、既設簡易トイレのバケツ内に排泄物収納袋が収まるようにすれば、汚物処理の容易なものとなる。既設簡易トイレを使用しない場合には、座面高さの等しい二つのイスを１０〜２０ｃｍ程度離して並べるなどして臀部が乗る部分と排泄物が落ちる空間を確保した上で本発明軟性便器を設置すればそこに便器ができることになる。極言すれば、介護者が少し膝を開いてどこかに腰掛けその両膝に高齢者等が座れば、その両膝が簡易便器にもなり得ることとなる。
【００１２】
【発明の実施の形態】
以下図面に基づいて本発明をより詳細に説明する。
【００１３】
図１は、本発明に係る軟性便器１（以下、本発明便器１という）の一例を示すものであり、中央付近に楕円孔２１を有する概ね矩形の座面体２と、この楕円孔２１の周縁にその開口部が縫合された排泄物収納袋３とにより構成されるものである。各部材はいずれもプラスチック又は紙より成っており、全体として紙オムツ程度の柔軟性と嵩張りのものである。
【００１４】
座面体２は、本例の場合プラスチック製非透水シート２２を下層としこの上にシート状脱脂綿２３、最上層に不織布２４を配して成る多層体であり、このシート状脱脂綿２３には吸水性ポリマー粉体が入れられている。
【００１５】
排泄物収納袋３も、概ね上記座面体２と同様の構造であって、プラスチック製非透水シート３１、吸水性ポリマー粉体の入ったシート状脱脂綿３２、不織布３３にて構成されている。このシート状脱脂綿３２は、座面体２に用いられているシート状脱脂綿２３の厚さが自然状態で約２ｍｍであるのに対し、約１５ｍｍという厚さがあり、これに比例する形で吸水性ポリマー粉体の含有量も多くなっている。
【００１６】
図２は本発明便器１の使用方法の一例を示すものであり、同じタイプのイスＣを二脚、２０ｃｍ程度離して並べたところに、本発明便器１を設置した状態を示している。固定は、座面体２の四隅に刻設されたハトメ２５にゴム紐４を通して固定しているが、座面体２の下面に配置される非透水シート２２とイスＣとの摩擦力が充分であれば省略することも可能であるし、ゴム紐４固定以外に、例えば粘着テープ等で固定しても充分である（図示せず）。なお、図はイスＣを使用した例を示したものであるが、ほとんどの簡易トイレに設置できることは言うまでもないし、その場合の設置作業は簡単である（図示せず）。
【００１７】
【発明の効果】
以上詳細に説明したように本発明に係る軟性便器は、座面体と排泄物収納袋とにより構成される簡易便器であり、該座面体は少なくとも不織布又は紙を表層とするシート体であり、また該排泄物収納袋は該座面体の中央付近に開けられた孔に固設された非透水性を有するものであることを特徴とするものであって、以下述べる如き効果を有する極めて高度な発明である。
【００１８】
（１）  排泄物収納袋に汚物を溜め、それを廃棄するだけであるので、簡易トイレに本発明便器を採用した場合には、毎回のバケツ洗浄が不必要となり手入れが容易になる。
（２）  座面体と排泄物収納袋より成る全体の構造は柔軟であって、紙オシメのように取り扱うことができ、当然ながら従来の簡易トイレのように嵩張らないので、携帯や各室設置が容易である。
（３）  収納袋に吸水性ポリマーを入れておけば取り扱いが更に容易になる。
【図面の簡単な説明】
【図１】本発明に係る軟性便器の一例を示す概略斜視図である。
【図２】本発明に係る軟性便器の使用状態の一例を示す概略斜視図である。
【符号の説明】
１    本発明に係る軟性便器
２    座面体
２１  楕円孔
２２  非透水シート
２３  シート状脱脂綿
２４  不織布
２５  ハトメ
３    排泄物収納袋
３１  非透水シート
３２  シート状脱脂綿
３３  不織布
４    ゴム紐
Ｃ    イス
【図１】
2004254837.tif 000003
【図２】
2004254837.tif 000004